(57)【要約】      （修正有）【課題】シングルレバー混合水栓用湯温制御装置において、お湯の中温度、中吐出量の位置にすばやく確実に操作レバーの移動が可能であり、吐出停止位置は必ず低温吐水側に来る事により、不意のレバー上げによる熱湯事故等を防ぐ。【解決手段】操作レバー底部の半円形が内包する、水栓本体球形上部に、バネを内蔵した先端部球状のストッパー装置を取付ける．操作レバー底部の半円形の内周面に、下部よりお湯側に上方を弧とする突起したラインを設ける。このラインの高温度域になる手前にラインに直角に突起した短めのラインを設ける。突起したラインとストッパーによりレバーの動きを規制と解除することにより、容易に安全域の中温度吐出位置にレバー移動が可能になる。高温度吐出の位置にレバー移動する時は、前述の短めのラインにストッパーを強く押し当てることにより、ラインを越し高温度域にレバー移動し吐出が可能となる。【選択図】図１
2007051757.tif 000002
【特許請求の範囲】
【請求項１】
シングルレバー混合水栓の操作レバー底部の半円形が内包する、水栓本体の球形上部に、バネを内蔵した先端部球状のストッパー装置を取付ける．さらに操作レバー底部の半円形の内周面に、下部よりお湯側に上方を弧とする突起したラインを設ける．このライン上方部とストッパーの接触部分が低温度部の吐出停止位置になる．このラインの高温度域になる手前にラインに直角に突起した短めのラインを設ける．ストッパー装置の先端部分は、ラインに接触する位置にすることにより通常の操作レバーの移動では、ラインを越せない状態に調整することで、お湯側でのレバー移動の際のガイドとなり、レバーの動きを規制することにより、容易に惑わずに安全域の中温度吐出位置にレバー移動が可能となる．さらに高温度吐出の位置にレバー移動する時は、前述の短めのラインに強く押し当てることにより、ラインを越し高温度域にレバー移動し吐出が可能となる特徴を持つ内蔵型シングルレバー混合水栓用湯温制御装置である．又、故意に操作レバーを強くラインに押し下げる事により、どの湯温度域からでも真下へレバーを下げ止水も可能になるが、通常はラインに沿ってレバーが動く為、必ず低温度域での吐出停止になる特徴を併せ持つ、内蔵型シングルレバー混合水栓用湯温制御装置である．
【発明の詳細な説明】
【発明の詳細な説明】
【技術分野】
【０００１】本発明は、内蔵型シングルレバー混合水栓用湯温制御装置に関する物である．
【背景技術】
【０００２】熱湯の吐出を阻止する装置は考案されているようだが、それでは本来のシングルレバー混合水栓の良さが失われてしまう．操作レバーの動きは、自由回転できるように開発された物であるから、レバーの動きを規制と解除する技術はなく、又、吐水停止の位置が必ず低温度域になる安全面を考慮した装置もない．
【発明が解決しようとする課題】
【０００３】シングルレバー混合水栓は、手早く水、お湯の切り替えと吐出量の調整が可能なためキッチンや、洗面化粧台の水栓として広く普及していますが、お湯の中温度、中吐出量の位置にレバーを移動させるには、経験と感に頼るしかなく何回となく操作レバーを微調整する必要があります．
又、高温度、中温度、低温度とどの位置でもレバーを下げれば止水しますが、高温度で吐出した後に、そのまま操作レバーを下げ止水し、すぐに手を洗おうとしてそのまま上にレバーを上げ高温度吐出したお湯で、火傷する事故が多くあるようです．
本発明の内蔵型シングルレバー混合水栓用湯温制御装置は、お湯の中温度、中吐出量の位置にすばやく確実に操作レバーの移動が出来、なおかつ吐出停止位置は必ず低温吐水側に、操作レバーが来る事により不意にレバーを上げて熱湯による事故等を防ぐ事を、目的としています．
又、実用新案出願中の外付けシングルレバー混合水栓用湯温制御ガイドでは出来なかった、どの湯温度域からでも真下へレバーを下げての止水が可能になる．内蔵型シングルレバー混合水栓用湯温制御装置の提供することを目的とする．
【課題を解決するための手段】
【０００４】上記課題を解決する為に、本発明は、シングルレバー混合水栓の操作レバー底部の半円形が内包する、水栓本体の球形上部に、バネを内蔵した先端部球状のストッパー装置を取付ける．さらに操作レバー底部の半円形の内周面に、下部よりお湯側に上方を弧とする突起したラインを設ける．このライン上方部とストッパーの接触部分が低温度部の吐出停止位置になるようにする．このラインの高温度域になる手前にラインに直角に突起した短めのラインを設ける．この位置が、中温度、中吐出量の位置になりストッパー装置の先端部分は、ラインに接触する事で、通常の操作レバーの移動では、ラインを越せない状態になる．突起したラインとストッパーによりレバーの動きを規制することにより、容易に惑わずに安全域の中温度吐出位置にレバー移動が可能になる、内蔵型シングルレバー混合水栓湯温制御装置を供給する．
【０００５】合わせて、高温度吐出の位置にレバー移動する時は、前述の短めのラインにストッパーを強く押し当てることにより、ラインを越し高温度域にレバー移動し吐出が可能となる特徴を持つ内蔵型シングルレバー混合水栓用湯温制御装置を供給する．
【０００６】又、故意に操作レバーを強くラインに押し下げる事により、どの湯温度域からでも真下へレバーを下げ止水も可能になる、しかも通常はラインに沿ってのレバー移動の為、必ず低温度域での吐出停止になる特徴を併せ持つ、内蔵型シングルレバー混合水栓用湯温制御装置である．
【発明を実施するための最良の形態】
【０００７】本発明の実施例を説明する．図１のように、シングルレバー混合水栓の操作レバー底部の半円形１０１が内包する、水栓本体の球形上部１０２に、バネを内蔵した先端部球状のストッパー装置００３を取付ける．さらに操作レバー底部の半円形の内周面に、下部よりお湯側に上方を弧とする突起したライン００１を設ける．このライン上方部とストッパーの接触部分が低温度部の吐出停止位置  図２になる．このラインの高温度域になる手前にラインに直角に突起した短めのライン００２を設ける．図３のように、この位置が中温度、中吐出量０４の位置なりストッパー装置の先端部分  図５の００４は、ラインに接触する事で、通常の操作レバーの移動では、ラインを越せない状態になる．突起したラインとストッパーによりレバーの動きを規制することにより、容易に惑わずに安全域の中温度吐出位置０４にレバー移動が可能になる、内蔵型シングルレバー混合水栓湯温制御装置になる．【０００８】図４の高温度吐出の位置にレバー移動する時は、前述の短めのライン００２にストッパー先端部００４を強く押し当てることにより図６の００２と００４のようになり、ラインを越し高温度域０５にレバー移動し吐出が可能となる特徴を持つ内蔵型シングルレバー混合水栓用湯温制御装置になる．【０００９】故意に操作レバーを強くラインに押し下げる事により、突起ライン００１との関係においてもラインを越すことが可能になるため、どの湯温度域からでも真下へレバーを下げ止水も可能になる．しかも通常はライン００１に沿ってのレバー移動の為、必ず低温度域での吐出停止になる特徴を併せ持つ、内蔵型シングルレバー混合水栓用湯温制御装置になる．
【発明の効果】
【００１０】上記説明でも分かるように、本発明の内蔵型シングルレバー混合水栓用湯温制御装置は、いままでのシングルレバーの利点を阻止する事なく、２つの突起ラインとバネを内蔵したストッパーによって、レバーの動きを規制と解除することが、容易にできしかも惑わずに中温度中吐出量、高温度大吐出量の位置にレバー移動が、可能になり、なおかつ吐出停止位置は必ず低温度吐水側に、操作レバーが来る事により不意にレバーを上げて熱湯による事故等を未然に防ぐことも可能になる．
【図面の簡単な説明】
【図１】操作レバー底部の半円形が内包する、水栓本体上部球形部のストッパーと突起ラインを表した断面図である．
【図２】本発明の内蔵型シングルレバー混合水栓用湯温制御装置の吐出停止位置を表した正面図である．
【図３】中温度中吐出量の位置を表した正面図である．
【図４】高温度大吐出量の位置を表した正面図である．
【図５】ストッパーとラインの規制状態を表した断面図である．
【図６】ストッパーとラインの解除の状態を表した断面図である．
【符号の説明】
１００  球形部が上部にある水栓本体
１０１  操作レバー本体
１０２  ストッパー装置が付く球形上部
００１  操作レバー底部の内面に突起したライン
００２  安全域の中温度吐出位置と高温度位置の間の短めの突起ライン
００３  バネ内蔵のストッパー
００４  ストッパー装置の先端球状部品
００５  ストッパー装置コイルバネ
０１  中心線
０２  お湯側
０３  水側
０４  安全域の中温度吐出のラインとストッパーの位置
０５  高温度吐出のラインとストッパーの位置
【図１】
2007051757.tif 000003
【図２】
2007051757.tif 000004
【図３】
2007051757.tif 000005
【図４】
2007051757.tif 000006
【図５】
2007051757.tif 000007
【図６】
2007051757.tif 000008